(57)【特許請求の範囲】
【請求項１】
地下埋設装置に上方から収納容器を被せ、前記収納容器内部に密閉した空気により、地下埋設装置への浸水を防ぐようにした防水機能を備えた地下埋設設備において、
前記収納容器を底浅の形状に形成し、当該収納容器により、前記地下埋設装置の頭部を覆うように収納したことを特徴とする防水機能を備えた地下埋設設備。
【請求項２】
上記地下埋設装置の中枢部分を、当該地下埋設装置の頭部近傍に集約したことを特徴とする請求項１に記載の防水機能を備えた地下埋設設備。
【請求項３】
上記地下埋設装置の頭部に１又は２以上の通気孔を設けたことを特徴とする請求項１又は２に記載の防水機能を備えた地下埋設設備。
【請求項４】
上記地下埋設装置を、電源ケーブルのコネクタを頭部上面に取り付けたマンホールポンプの制御盤としたことを特徴とする請求項１乃至３のいずれかに記載の防水機能を備えた地下埋設設備。
【請求項５】
上記地下埋設装置を、電源ケーブルのコネクタを頭部上面に横倒しに配設したマンホールポンプの制御盤としたことを特徴とする請求項１乃至３のいずれかに記載の防水機能を備えた地下埋設設備。
【請求項６】
上記地下埋設装置を、電源ケーブルの接続部としたことを特徴とする請求項１又は２に記載の防水機能を備えた地下埋設設備。
【発明の詳細な説明】
【０００１】
【発明の属する技術分野】
本発明は、マンホールポンプの制御盤等の防水機能を備えた地下埋設設備に係り、特に当該設備の防水機能の改良に関する。
【０００２】
【従来の技術】
工場・家庭用排水や雨水等の下水は、下水道の高低差を利用して汚水処理場まで送られるが、この高低差を長距離に亘って維持するのは困難であるから、所定の間隔で設けられるマンホールにおけるマンホールポンプにより下水をポンプアップして上記高低差を調整している。
一般に、マンホールポンプの運転を制御する制御盤は、地上に建てられたコンクリート等の支柱に取り付けられる。しかし、制御盤は一定の設置スペースを必要とするため、歩道上に建てた支柱に制御盤を取り付けると、歩行者等の通行に支障を来す場合がある。
【０００３】
このため、マンホールポンプの制御盤を設置するときに、制御盤の取り付け支柱を歩道等に建てるのではなく、近隣の私有地に建てざるをえない場合もある。この場合、必ずしも当該私有地の所有者の了承を得られるとは限らず、このような事情から、マンホールポンプの制御盤を地下に埋設するようにすることが提唱されている。
【０００４】
しかし、マンホールポンプの制御盤を地下に埋設する場合、大雨等の浸水に備えて、制御盤を防水構造とするなど、防水対策を施す必要があるが、従来の防水対策では高価な防水部材を用いて防水シールド構造とするため、制御盤の製造コストや設置コストの増大を招くという問題があった。
そこで、この解決策として、上記制御盤等の地下埋設装置に上方から収納容器を被せ、収納容器に密閉した空気により、地下埋設設備用の穴が水没した場合でも、地下埋設装置への浸水を防ぐようにした防水機能を備えた地下埋設設備が実用に供されている。
【０００５】
この従来の防水機能を備えた地下埋設設備の構成を図６を用いて説明する。
図６は、前記地下埋設設備５０の概略構成を示す縦断正面図である。
同図において、５１は地下埋設装置であるマンホールポンプ（図示せず）の制御盤であり、制御盤５１は、図示しない電源から、電源ケーブル５２を介して電力が供給される。そして、図示は省略したが、マンホール内に設置した水位検出器によって検出されるマンホール内の水位に対応して、マンホールポンプの運転を制御する。
また、５５は制御盤５１を上方から収納する収納容器であり、地面ＧＲから地中１〜２ｍ程度の深さに制御盤５１を埋設するための穴ＨＬが掘られ、当該穴ＨＬ内周面及び底面に土砂の崩落を防止し、地下水等の浸入を防ぐための内壁６０が設けられている。
【０００６】
また、５３は、マンホールポンプの制御盤５１を収納容器５５に収納して穴ＨＬに設置する場合に、クレーン等で吊り上げるためのフックである。制御盤５１は、収納容器５５の下部に取り付けられた支持具５６により固定支持されている。５７は収納容器５５の支持台で、収納容器５５が揺動しないように固定支持している。
制御盤５１の保守点検の際には、収納容器５５を支持台５７より取り外し、制御盤５１を支持具５６で収納容器５５内に固定支持した状態で、フック５３により収納容器５５ごとクレーン等により吊り上げ、その後、収納容器５５から制御盤５１を取り出し、保守点検等のメンテナンス作業を行う。
なお、内壁６０には蓋６１が被せられ、通行人等の落下及び雨水等の流入を防止するようにしている。また、６２は排水口６２ａ、排水管６２ｂ、ガス浸入防止水切りトラップ６２ｃ等から成る排水設備であり、内壁６０内部に浸入した水を排水管６２ｂを介してマンホールに排出する。
【０００７】
以上の構成において、大雨や洪水等により地下埋設設備が設置された地面ＧＲが冠水し、内壁６０内に水が浸入し、排水設備６２による排水が間に合わずに当該内壁６０内部が水没した場合でも、収納容器５５内の空気は収納容器５５内に閉じこめられて外部に漏れ出すことがないので、空気の内圧により水の浸入を防止し、制御盤５１の主要部が冠水することを防ぐことができる。
また、制御盤５１の下方部にも電源ケーブル５２とのコネクタ５８等の絶縁を必要とする部分があるため、収納容器５５は、制御盤５１の下方部も含めてほぼ完全に覆うように、制御盤５１を収納する底の深い形状をしている。
【０００８】
従って、制御盤５１を特殊な防水部材で覆う等の完全防水構造とすることなく、単に収納容器５５を上方から被せ、制御盤５１全体を覆うという簡易な方法で、制御盤５１を浸水から守ることができる。このような防水構造を備えた地下埋設設備とすれば、地下埋設装置の設置コストを大幅に削減することができると共に、確実に制御盤５１等の地下埋設装置の浸水を防止することができる。
【０００９】
【発明が解決しようとする課題】
ところで、上述したように、従来の防水機能を備えた地下埋設設備では、上方から地下埋設装置を収納する収納容器は、地下埋設装置をほぼ完全に覆うように、地下埋設装置の下方部も収納する底が深い形状をしていた。しかし、収納容器をこの形状とすると次のような問題が生じる。
（１）収納容器内の空気の通気性が悪くなり、地下埋設装置を稼働している場合に発生する熱や、地中から放出される水分の収納容器外への放散が悪くなり、地下埋設装置の故障の原因となり兼ねない。
（２）収納容器自体の内容積が大きく、従って、地下埋設設備が水没した場合の収納容器の浮力が大きくなり、浮力対策が重要となる。この浮力対策を怠ると、内壁内が水没した場合に、収納容器が上方に浮かび上がり、地下埋設装置が冠水し、また、上蓋を押し上げ地上を通行中の歩行者等を害する恐れがある。
この対応として収納容器の自重を重くするという方式を採ると、収納容器の製造コストや地下埋設装置の設置コストが増大するという問題が発生する。
（３）地下埋設設備周囲の内壁内の空間が、底が深い形状の収納容器により狭められるために、この空間を有効利用できなくなる。
（４）地下埋設装置の保守点検をする際に、クレーン等により収納容器ごと地下埋設装置を吊り上げ、それから収納容器から地下埋設装置を取り出して保守点検作業を行うようにしていたので、作業効率が悪く、ランニングコストが増大する。
本発明は、上記課題（問題点）を解決し、収納容器内の空気の通気性が良く、収納容器の浮力が小さく、地下埋設設備周囲の内壁内の空間を有効利用でき、しかも、保守点検作業が楽な防水機能を備えた地下埋設設備を提供することを目的とする。
【００１０】
【課題を解決するための手段】
本発明の防水機能を備えた地下埋設設備は、請求項１に記載のものでは、地下埋設装置に上方から収納容器を被せ、前記収納容器内部に密閉した空気により、地下埋設装置への浸水を防ぐようにした防水機能を備えた地下埋設設備において、前記収納容器を底浅の形状に形成し、当該収納容器により、前記地下埋設装置の頭部を覆うように収納する構成とした。
このようにすると、収納容器内の空気の通気性が良くなり熱や水分の放散が良好となる。また、収納容器自体の体積が小さく、収納容器の浮力対策が不要或いは簡単になる。更に、地下埋設設備周囲の内壁内の空間が広くなり、この空間を有効利用できるようになる。
【００１１】
請求項２に記載の防水機能を備えた地下埋設設備では、上記地下埋設装置の中枢部分を、当該地下埋設装置の頭部近傍に集約する構成とした。
このように、地下埋設装置の回路基板やスイッチ等の中枢部分を当該装置の頭部上面か或いは頭部近傍の周辺部に集める構成とすると、地下埋設装置の保守点検の際には、地下埋設装置を設置するための穴用の蓋を開け、収納容器を地下埋設装置から取り外し、地上から保守点検作業を行うことができるようになる。
従って、従来のように地下埋設設備用の穴から収納容器ごと地下埋設装置をクレーン等により引き上げる必要が無くなり、保守点検作業が飛躍的に楽になり、当該防水機能を備えた地下埋設設備のランニングコストを大幅に低減することができる。
また、地下埋設装置の中枢部を頭部に集約することで、当該装置の胴体部の浸水が許容されるので、頭部のみを防水構造とするだけで良く、地下埋設設備の防水機能としては充分にその役割を果たす。
【００１２】
請求項３に記載の防水機能を備えた地下埋設設備では、上記地下埋設装置の頭部に１又は２以上の通気孔を設けた構成とした。
このようにすると、上述したように地下埋設装置の頭部の浸水が防止できるので、頭部に通気孔を設けても地下埋設装置の内部への浸水はなく防水性を保つことができる。
一方、上記地下埋設装置の内部の通気性が良くなり、また、収納容器を底浅の形状としたことにより地下埋設装置の頭部の通気性が良くなっているので、地下埋設装置の稼働中に発生する熱の放散が一層良好となり、また、当該装置内部の結露を防止できるので、これらを原因とする故障を回避でき、保守点検作業を軽減することができる。
【００１３】
請求項４に記載の防水機能を備えた地下埋設設備では、前記地下埋設装置を、電源ケーブルのコネクタを頭部上面に取り付けたマンホールポンプの制御盤とする構成とした。
このようにすると、電源ケーブルのコネクタをマンホールポンプの制御盤の頭部にとりつけることで浸水から保護することができ、それ以外の制御盤の胴体部分の浸水が許容できるようになるので、制御盤の頭部のみを収納した収納容器でも充分に制御盤を浸水から保護できるようになる。
【００１４】
請求項５に記載の防水機能を備えた地下埋設設備では、上記地下埋設装置を、電源ケーブルのコネクタを頭部上面に横倒しに配設したマンホールポンプの制御盤とする構成とした。
曲げ剛性が大きい電源ケーブルを使用した場合、コネクタを垂直に配設すると、収納容器内での電源ケーブルは、一旦上向きに向けられ、それから収納容器の外部に送り出される構造となり、電源ケーブルの配線用の大きな空間が必要だったが、予めコネクタを制御盤頭部に横倒しに配設しておくと、このような空間が不要となり、収納容器自体をコンパクトなものとすることができる。
【００１５】
請求項６に記載の防水機能を備えた地下埋設設備では、上記地下埋設装置を、電源ケーブルの接続部とする構成とした。
このようにすると、電源ケーブルの接続部も、浸水対策としては充分であり、底浅の形状の収納容器に収納されるため、収納容器内の空気の通気性が良くなり、水分の放散が良好となるため、接続部の腐食や絶縁不良を防止でき、接続部下方の地下埋設設備用の穴の内壁内の空間を有効利用できるようになる。或いは、地下埋設設備用の穴自体を小さくできるので、電源ケーブルの接続部の設置コストを低減することも可能である。
【００１６】
【発明の実施の形態】
本発明の防水機能を備えた地下埋設設備の第１の実施の形態を図１を用いて説明する。
図１は、本発明の防水機能を備えた地下埋設設備１において、地下埋設装置をマンホールポンプの制御盤とした場合の本発明の概略構成を示す縦断正面図である。
本発明の防水機能を備えた地下埋設設備１は、図６に示す従来の防水機能を備えた地下埋設設備５０と主な構成は同一で良く、収納容器５５の形状を底浅の形状に変更した点にその構成上の特徴がある。
そこで、以下の本発明の防水機能を備えた地下埋設設備の説明において、従来のものと同一の構成については図６と同一の符号を付して、説明を省略した。
【００１７】
図１において、２は制御盤で、本発明の防水機能を備えた地下埋設設備１の主体として地下に埋設される。当該制御盤頭部２ａ上面に電源ケーブル５２のコネクタ３が取り付けられている。４は、本発明の地下埋設設備１に用いる収納容器で、上述したように図６に示す従来の防水機能を備えた地下埋設設備５０の収納容器５５と比較して底浅の形状に形成しており、制御盤頭部２ａ近傍を覆うように収納している。
５は、制御盤２の支持具で、制御盤２を内壁６０に固定支持している。６は、ボルト等の固定具で、収納容器４を制御盤２に固定している。なお、固定具６は、制御盤２の保守点検の際に、制御盤２からの取り外しが簡単になるように、収納容器４上面に取り付けられ、また、地面が冠水した際に、収納容器４から固定具６挿入用の穴を通して空気が漏洩するのを防ぐために、固定具６と収納容器４の間にはパッキン６ａが図示位置に装着されている。
【００１８】
以上の構成において、本発明の防水機能を備えた地下埋設設備１を設置した地上が冠水し、排水設備６２による排水が間に合わず、内壁６０内部が水没した場合、制御盤２の胴体部分２ｂは浸水するが、制御盤頭部２ａ部分は、収納容器４内に閉じ込められた空気により収納容器４内部への水の浸入が妨げられるために、電源ケーブル５２のコネクタ３部分の浸水を防止することができる。
従って、コネクタ３を制御盤頭部２ａに取り付けたため、制御盤２の胴体２ｂ部分が水没しても影響が小さく、制御盤頭部２ａのみを収納する底浅の形状の収納容器４でも、充分に防水機能を発揮することができる。
【００１９】
一方、上述したように、収納容器４の形状を底浅の形状としたために、内壁６０内部が乾燥している通常状態においては、収納容器４内の空気の通気性が良くなり、制御盤２の運転時に発生する熱や、地中から放出される水分の放散が良好となり、かかる事由を原因としていた制御盤２の故障を防止することができる。更に、収納容器４自体の内容積が小さいので、地下埋設設備１が水没した場合でも、収納容器４の浮力対策は上述した固定具６による制御盤２への固定だけで済み、これとは別の浮力対策が不要となるか或いは当該浮力対策が簡略化でき、地下埋設設備１の製造コスト、設置コストを低減することが可能となる。
また、地下埋設設備１周囲の内壁６０内の空間が収納容器４により狭められることがなく、他の装置を設置するなど、この空間を有効利用できる。
【００２０】
更に、制御盤２の回路基板やスイッチ等の中枢部分を制御盤頭部２ａ上面か或いは制御盤頭部２ａ近傍周辺に集約する構成としておくと、保守点検等の大半のメンテナンス作業は、地下埋設設備用の穴ＨＬの蓋６１を開け、収納容器４を取り外すだけで、地上から作業を行うことができるようになる。
従って、図６に示す従来の防水機能を備えた地下埋設設備５０では、上述したように、保守点検の際には、地下埋設設備用の穴ＨＬから収納容器５５ごと制御盤２を主体に構成される地下埋設装置５１をクレーン等により引き上げ、それから収納容器５５から地下埋設装置５１を取り出して作業を行うようにしていたので作業効率が悪かったが、このような構成とすることで保守点検作業が飛躍的に楽になり、図１に示す、本発明の防水機能を備えた地下埋設設備１のランニングコストを大幅に低減することができる。
【００２１】
本発明の防水機能を備えた地下埋設設備の第２の実施の形態を図２を用いて説明する。
図２は、地下埋設装置が電源ケーブルの接続部である場合の、本発明の防水機能を備えた地下埋設設備２０の概略構成を示す縦断正面図である。
本発明の第２の実施の形態では、上記第１の実施の形態の図１で説明した地下埋設装置を制御盤２から電源ケーブル５２の接続部２７へ変更したもので、第１の実施の形態と同一の構成については図６に示す同一の符号を付し、説明を省略する。
図２において、第１の実施の形態で説明した場合同様に、地下埋設装置である電源ケーブル５２の接続部２７に、底浅の形状の収納容器４を上方から被せるように収納している。２８は、接続部２７の支持具である。
【００２２】
この構成において、本発明の防水機能を備えた地下埋設設備２０が水没しても、電源ケーブル５２の接続部２７の下方部は浸水するが、第１の実施の形態の説明で示した場合同様、接続部２７は収納容器４内に閉じ込められた空気により冠水することはない。
また、底浅の形状の収納容器４としたため、第１の実施の形態の説明で示したものと同様に、収納容器４内の通気性が良くなるため、水分の放散が良くなり、接続部２７が結露し、腐食や絶縁不良を起こす危険性も回避できるようになる。また、接続部２７下方の地下埋設設備用の穴ＨＬの内壁６０内の空間を有効利用できるようになる。或いは、地下埋設設備用の穴ＨＬ自体を小さくできるので、電源ケーブル５２の接続部２７の設置コストを低減することも可能である。
【００２３】
なお、上記第１及び第２の実施の形態において、地下埋設設備が水没した場合、水圧により収納容器４内の空気が圧縮されるが、上述したように地下埋設設備の設置深度は深い場合でも地下１〜２ｍ程度と想定されているので、水圧による収納容器４内の空気の体積減少率は数〜十数％程度と目される。
そのため、収納容器４内部へのある程度の浸水はあるが、浸水から保護すべきコネクタ等の部分を制御盤等の地下埋設装置の上部に、予め取り付けておくようにすると、防水効果としては充分である。
【００２４】
本発明の防水機能を備えた地下埋設設備は上記各実施の形態には限定されず、種々の変更、適用用途の改変が可能である。
例えば、図３に示すように、マンホールポンプの制御盤頭部２ａに１又は２以上の通気孔３９ａ、３９ｂを設ける構成とすると、制御盤頭部２ａの防水性は収納容器４により確保されているため、制御盤２の内部への浸水はなく、一方、制御盤２の内部の通気性が良くなり、また、収納容器４を底浅の形状としたことにより制御盤頭部２ａの通気性が良くなっているので、制御盤２の稼働中に発生する熱の放散が一層良好となり、また、当該制御盤２内部の結露を防止できるので、これらを原因とする故障を回避でき、保守点検作業を軽減できる。
【００２５】
また、図４に示すように、マンホールポンプの制御盤２の電源ケーブル５２のコネクタ３を制御盤頭部２ａ上面に横倒しに配設した構成とすると、例えば曲げ剛性が大きい電源ケーブル５２を使用した場合、コネクタ３を制御盤頭部２ａ上面に垂直に配設すると、収納容器４内での電源ケーブル５２は、一旦上向きに向けられ、それから収納容器４の外部に送り出される構造となり、電源ケーブル５２の配線用の大きな空間が必要となるが、予めコネクタ３を制御盤頭部２ａに横倒しに配設しておくと、このような空間が不要となり、収納容器４自体をコンパクトなものとすることができる。
【００２６】
また、図５に示すように、制御盤２から電源ケーブル５２のコネクタ３を分離し、制御盤２を密封構造とし、電源ケーブル５２のコネクタ３のみを収納容器４に収納するような構成への変更も考えられる。この場合は、内壁６０内部が水没すると、制御盤２も冠水するが、収納容器４内は密閉された空気の圧力により浸水が妨げられ、電源ケーブル５２のコネクタ３の冠水を防ぐことができる。
【００２７】
この他、地下埋設装置の対象に相応して、収納容器の底浅の形状を変更して、上記各実施の形態で説明したものよりも収納容器の胴体部の長さを調節するようにしても良い。
また、上記各実施の形態では、制御盤等の装置を地下に埋設する構成で説明したが、本発明の防水機能を備えた地下埋設設備を地上に設置する装置に対して応用することも可能である。例えば、標高が海面以下のいわゆるゼロメートル地帯や、洪水の恐れのある地域、或いは河川敷のように冠水する可能性のある地域に設置する装置について本発明の防水機能を備えた地下埋設設備が適用できるのは勿論のことである。
【００２８】
【発明の効果】
本発明の防水機能を備えた地下埋設設備は、上述のように構成したために以下のような優れた効果を有する。
（１）地下埋設装置の収納容器を底浅の形状とし、地下埋設装置の頭部を覆うように収納する構成としたため、収納容器内の通気性が良くなり、熱や水分の放散が良好となり、かかる事由を原因としていた制御盤等の地下埋設装置の故障を防止することができる。
（２）また、収納容器自体の内容積が小さいため、収納容器の浮力対策が不要或いは簡略化できる。
（３）更に、地下埋設設備用穴の内壁内の空間が広くなり、この空間を有効利用できるようになる。
（４）請求項２に記載したように、地下埋設装置の中枢部分を当該地下埋設装置の頭部近傍に集約するようにすると、地下埋設装置の保守点検の際には、埋設設備用の蓋を開け、収納容器を取り外すだけで保守点検を行うことができるようになるので、従来の場合に比べて保守点検作業が飛躍的に楽になり、ランニングコストを大幅に低減することができる。
（５）請求項３に記載したように、地下埋設装置の頭部に１又は２以上の通気孔を設ける構成とすると、収納容器を底浅の形状に形成した相乗効果により地下埋設装置の内部の通気性が一層良くなり、稼働中に発生する熱の放散が良好となり、また、当該装置内部の結露を防止できるので、これらを原因とする故障を回避でき、保守点検作業の労力を更に低減できる。
（６）請求項４に記載したように、地下埋設装置を電源ケーブルのコネクタを頭部上面に取り付けたマンホールポンプの制御盤とすると、電源ケーブルのコネクタを浸水から保護でき、それ以外の制御盤の胴体部分が浸水しても影響は小さいので防水対策としては充分であり、また、上記（１）乃至（５）に記載した効果が得られる。
（７）請求項５に記載したように、地下埋設装置を電源ケーブルのコネクタを頭部上面に横倒しに配設したマンホールポンプの制御盤とすると、曲げ剛性が大きい電源ケーブルを使用した場合、コネクタを垂直に配設すると、電源ケーブルの配線用の大きな空間が必要だが、このような空間が不要となり、収納容器自体をコンパクトなものとすることができる。
（８）請求項６に記載したように、地下埋設装置を、電源ケーブルの接続部とすると、上記（１）乃至（４）に記載した効果が得られ、腐食や絶縁不良等を防止できる。
（９）また、接続部下方の地下埋設設備用の穴の内壁内の空間を有効利用できるようになる。或いは、地下埋設設備用の穴自体を小さくできるので、電源ケーブルの接続部の設置コストを低減することも可能である。
【図面の簡単な説明】
【図１】本発明の防水機能を備えた地下埋設設備の第１の実施の形態を示す縦断正面図である。
【図２】本発明の防水機能を備えた地下埋設設備の第２の実施の形態を示す縦断正面図である。
【図３】本発明の防水機能を備えた地下埋設設備の他の実施の形態を示す縦断正面図である。
【図４】本発明の防水機能を備えた地下埋設設備の他の実施の形態を示す縦断正面図である。
【図５】本発明の防水機能を備えた地下埋設設備のコネクタ部分だけを収納容器で収納した実施の形態を示す縦断正面図である。
【図６】従来の防水機能を備えた地下埋設設備の概略構成を示す縦断正面図である。
【符号の説明】
１：本発明の防水機能を備えた地下埋設設備
２：制御盤（地下埋設装置）
２ａ：制御盤頭部
３：コネクタ
４：収納容器
２７：電源ケーブルの接続部
５２：電源ケーブル
【図１】
0003575235.tif 000002
【図２】
0003575235.tif 000003
【図３】
0003575235.tif 000004
【図４】
0003575235.tif 000005
【図５】
0003575235.tif 000006
【図６】
0003575235.tif 000007